(57)【要約】【課題】  寝そべるベッドとしての寝心地と人体へ低周波を発振する部位へ配慮した体感音響ベッドパッドを提供する。【構成】  低周波発振器１を備えた体感音響マット２において、前記体感音響マットの上に寝そべる人体１００と低周波発振器とが接しないことを特徴とする体感音響ベッドパッド。【選択図】図１
2006043362.tif 000002
【特許請求の範囲】
【請求項１】
低周波発振器１を備えた体感音響マット２において、前記体感音響マットの上に寝そべる人体１００と低周波発振器とが接しないことを特徴とする体感音響ベッドパッド。
【請求項２】
請求項１の体感音響マットにおいて前記人体の腰部および脚部に隣接した前記体感音響マットに低周波発振器を配置することを特徴とする体感音響ベッドパッド。
【請求項３】
請求項１または２の体感音響ベッドパッドにおいて、前記人体の腹部を含めた上体の周辺には低周波発振器を備えないことを特徴とする体感音響ベッドパッド。
【請求項４】
請求項１から３のいずれかの体感音響ベッドパッドにおいて、前記ベッドパッドが前記低周波発振器の振動に応じて振動することを特徴とする体感音響ベッドパッド。
【請求項５】
請求項１から４のいずれかの体感音響ベッドパッドにおいて、前記ベッドパッドが上体方向と下肢方向の２つの部分で折れ曲がることを特徴とする体感音響ベッドパッド。
【請求項６】
請求項５の体感音響ベッドパッドにおいて、前記ベッドパッドをギャッチ式ベッド上に設置することを特徴とする体感音響ベッドパッドの使用方法。
【発明の詳細な説明】
【発明の詳細な説明】
【産業上の利用分野】
【０００１】    本発明は体感音響ベッドパッドおよびその使用方法に関する。
【背景技術】
【０００２】従来、腰痛治療装置として特開２００４−８１６３８には患者の腰部を牽引した状態で、患者の腰部を任意の形状や大きさの円や楕円に回転、反転、揺動できる腰痛治療装置に関する技術が開示されている。特開２００４−１４６９４４には音声信号に応答する振動体感装置に関する技術が開示されている。特開２００２−３５４５６７および特開２００３−３４６４７６には低周波振動装置およびそれを内蔵したベッドに関する技術が開示されている。特開２００２−１５２８６９には体感音響装置の技術が開示されている。特開２００１−８６５８０には振動音楽の表現方法およびその装置に関する技術が開示されている。特開２０００−１９７７０３および特開平８−１９４５４では誘眠装置に関する技術が開示されている。特開平８−１１６５８１では装着型体感振動装置に関する技術が開示されている。特開平５−６４２７７では体感音響体に関する技術が開示されている。特開平４−３５８５００では体感スピーカーおよびこれを用いた体感システムについて報告している。
【公知の従来技術文献】
【０００３】特開２００４−８１６３８、特開２００４−１４６９４４、特開２００２−３５４５６７、特開２００３−３４６４７６、特開２００２−１５２８６９、特開２００１−８６５８０、特開２０００−１９７７０３、特開平８−１９４５４、特開平８−１１６５８１、特開平５−６４２７７、特開平４−３５８５００
【発明が解決しようとする課題】
【０００４】従来の体感音響ベッドパッドでは低周波発振器を直接人体に当てるタイプのものなどであり、寝そべるベッドとしての寝心地と人体へ低周波を発振する部位への配慮が十分でないという課題を抱えていた。
【課題を解決するための手段】
【０００５】本発明の体感音響ベッドパッドは、低周波発振器１を備えた体感音響マット２において、前記体感音響マットの上に寝そべる人体１００と低周波発振器とが接しないことを第１の特徴とし、
第２に、前記第１の特徴に加えて、前記人体の腰部および脚部に隣接した前記体感音響マットに低周波発振器を配置することを特徴とし、
第３に、前記第１または第２の特徴に加えて、前記人体の腹部を含めた上体の周辺には低周波発振器を備えないことを特徴とし、
第４に、前記第１から第３のいずれかの特徴に加えて、前記ベッドパッドが前記低周波発振器の振動に応じて振動することを特徴とし、
第５に、前記第１から第４のいずれかの特徴に加えて、前記ベッドパッドが上体方向と下肢方向の２つの部分で折れ曲がることを特徴とし、
本発明の体感音響ベッドパッドの使用方法として第６に、前記第５の特徴を備える体感音響ベッドパッドにおいて、前記ベッドパッドをギャッチ式ベッド上に設置することを特徴とする。
【発明を実施するための最良の形態】
【０００６】  本発明の体感音響ベッドパッドにおいて、低周波発振器１を備えた体感音響マット２において、前記体感音響マットの上に寝そべる人体１００と低周波発振器とが接しない第１の特徴を備える場合には、人体と接する位置には低周波発振器を配置せずに人体が接しないマット位置に低周波発振器を配置する。人体は低周波発振器で発生した振動を前記マット素材の振動として間接的に感じる。人体は直接低周波発振器と接しないで間接的に振動を感じるため、振動の場につつまれている心地よさを感じることが出来る。【０００７】  前記第１の特徴に加えて、前記人体の腰部および脚部に隣接した前記体感音響マットに低周波発振器を配置する第２の特徴を備えている場合には、低周波振動を受けることで体全体で振動を感じる心地よさが最大である部位に効果的に間接振動を与えることができる。【０００８】  前記第１または第２の特徴に加えて、前記人体の腹部を含めた上体の周辺には低周波発振器を備えない第３の特徴を備える場合には、過度な振動を与えるべきでない部位近傍のベッドパッドの振動を抑制している。【０００９】  前記第１から第３のいずれかの特徴に加えて、前記ベッドパッドが前記低周波発振器の振動に応じて振動する第４の特徴を備える場合には、前記低周波発振器の振動をまずベッドパッドに伝達させる。効率良く発振をベッドパッドに伝達させるためには前記発振器とベッドパッドとの接合部分を強固に固定しておく。【００１０】  前記第１から第４のいずれかの特徴に加えて、前記ベッドパッドが上体方向と下肢方向の２つの部分で折れ曲がる第５の特徴を備える場合には、使用状態でベッドパッドを折り曲げる位置を予め設定しておき、その部分には低周波発振器を配置しないように配慮しておく。【００１１】  本発明の体感音響ベッドパッドの使用方法として、前記第５の特徴を備える体感音響ベッドパッドにおいて、前記ベッドパッドをギャッチ式ベッド上に設置する第６の特徴を備える場合には、前記ベッドパッドの折れ曲がる位置とギャッチ式ベッドの折れ曲がる位置とを位置合わせしておく。このことでギャッチ式ベッドでも低周波発振器が変形するなどの問題を生じさせない。
【実施例】
【００１２】本発明の実施例１について説明する。図１は実施例１を説明するための構成図である。低周波発振器１が体感音響マット２に複数個配置されている。この配置の特徴について説明する。人体１００は前記マットの中央に横たわることを想定している。この寝る位置は枕１０１に前記人体の頭を載せることで再現性良く決めることができる。人体１００の腰部と脚部の周辺に前記低周波発振器が合計８個配置されている。配置の特徴は人体と接する部分には発振器を配置していないことである。前記８個の発振器によって前記体感音響マットが振動する。この体感音響マットは腰部と脚部を包み込むように振動してその振動を人体に与える。【００１３】本発明の実施例２について説明する。図２は実施例２を説明するための構成図である。図１と同様に低周波発振器１が体感音響マット２に複数個配置されている。人体１００は前記マットの中央に横たわることを想定している。この寝る位置は図１と同様に枕１０１に前記人体の頭を載せることで再現性良く決めることができる。図２においては人体１００の腰部の周辺に前記低周波発振器が合計４個配置されている。配置の特徴は人体と接する部分には発振器を配置していないことである。前記４個の発振器によって前記体感音響マットが振動して、特に人体の腰上部分の背中に効果的に振動を与えることができる。【００１４】本発明の実施例３について説明する。図３は実施例３を説明するための構成図である。体感音響マット２の上に人体１００が寝そべった状態で腰から脚部にかけた位置には振動伝播マット３が敷かれている。低周波発振器１は前記振動伝播マットの上に１１個配列されている。前記低周波発振器は図に描いてあるように人体とは接触しないように人体の腰部と脚部を取り巻くように環状に配列してある。前記低周波発振器で起こした振動は前記振動伝播マットに効率的に伝達されて腰部から脚部に集中的に伝えられる。腹部や胸部にはほとんど振動は伝わらない。【００１５】本発明の実施例４について説明する。図４と図５は実施例４のそれぞれ上面から眺めた構成図と側面から眺めた構成図である。図４および図５に描かれている通り、上半身部分マット４と下半身部分マット５で構成されている。人体１００はその腰部を下半身部分マットに載せて肩の部分は上半身部分マットに載せている。このマットはギャッチ式のベッドに載せて使用するのに都合よく作られている。下半身部分マットには５個の低周波発振器が人体に接することのないように配列されている。そして、上半身部分マットには腰部の周辺でかつ人体に接しない位置に低周波発振器を２個配置している。
【発明の効果】
【００１６】本発明の体感音響ベッドマットを用いると、人体で低周波の振動を与えることが好ましい部分に効率的に低周波を伝達することができる。さらに、本発明では低周波発振器の振動を直接人体に伝えるのではなくベッドマットを介して間接的に伝えることで寝心地感を高めることができる。
【図面の簡単な説明】
【図１】本発明の実施例１を示す構成図である。
【図２】本発明の実施例２を示す構成図である。
【図３】本発明の実施例３を示す構成図である。
【図４】本発明の実施例４を示す上面から眺めた構成図である。
【図５】本発明の実施例４を示す側面から眺めた構成図である。
【符号】
１は低周波発振器、２は体感音響マット、３は振動伝播マット、４は上半身部分マット、５は下半身部分マット、１００は人体、１０１は枕である。
【図１】
2006043362.tif 000003
【図２】
2006043362.tif 000004
【図３】
2006043362.tif 000005
【図４】
2006043362.tif 000006
【図５】
2006043362.tif 000007